(57)【要約】【課題】認証媒体を携帯する人物が認証を拒否された場合、認証を拒否された人物を容易に特定する。【解決手段】認証媒体１において、認証情報を記憶し、当該認証情報の外部との送受信を許容する認証情報記憶部３と、当該認証情報の送受信の結果、当該認証情報が認証には不完全なものと判断された場合に駆動される報知部４とを備える。【選択図】    図１
2007199941.tif 000002
【特許請求の範囲】
【請求項１】
認証情報を記憶し、当該認証情報の外部との送受信を許容する認証情報記憶部と、
当該認証情報の送受信の結果、当該認証情報が認証には不完全なものと判断された場合に駆動される報知部と、
を備えることを特徴とする認証媒体。
【請求項２】
前記認証情報記憶部は、ＩＣチップを有することを特徴とする請求項１記載の認証媒体。
【請求項３】
前記報知部は表示部を有し、前記認証情報が認証には不完全なものと判断された場合には前記表示部に視覚情報を表示することを特徴とする請求項１又は２記載の認証媒体。
【請求項４】
前記報知部はスピーカを有し、前記認証情報が認証には不完全なものと判断された場合には前記スピーカから音声情報を発することを特徴とする請求項１又は２記載の認証媒体。
【請求項５】
前記報知部は第１の報知形態と第２の報知形態とを有し、前記認証情報が認証された場合には前記報知部は前記第１の報知形態を選択して駆動され、前記認証情報が認証には不完全なものと判断された場合には前記報知部は前記第２の報知形態を選択して駆動されることを特徴とする請求項１記載の認証媒体。
【請求項６】
前記報知部は表示部を有し、前記第１の報知形態と前記第２の報知形態とで前記表示部に異なる視覚情報が表示されることを特徴とする請求項５記載の認証媒体。
【請求項７】
前記視覚情報は、前記第１の報知形態と前記第２の報知形態とで色彩が異なることを特徴とする請求項６記載の認証媒体。
【請求項８】
前記報知部はスピーカを有し、前記第１の報知形態と前記第２の報知形態とで前記スピーカから異なる音声情報が発せられることを特徴とする請求項５記載の認証媒体。
【請求項９】
前記報知部に電力を供給する電池を有することを特徴とする請求項１ないし８のいずれか一記載の認証媒体。
【発明の詳細な説明】
【技術分野】
【０００１】
本発明は、認証媒体に関し、特に、セキュリティ保護された建物や施設の利用者が携帯し、その利用者の出入り等を認証するために使用される認証媒体に関する。
【背景技術】
【０００２】
例えば、下記特許文献１に記載されているように、建物や施設の利用者(以下、施設利用者と言う)が携帯する認証媒体としてＩＣカードを用いた認証システムが普及している。
【０００３】
このＩＣカードを用いた認証システムでは、ＩＣカードを携帯する施設利用者が建物や施設に出入する際にＩＣカードに記憶されている認証情報が読取られ、読取られた認証情報に基づいてそのＩＣカードを携帯する施設利用者の出入りが判断され、認証された場合には入口ドアが開放される。
【０００４】
一方、認証が拒否された場合には、入口ドアは開放されず、施設への出入りが禁止される。
【特許文献１】特開２００１−３２３６９５号公報
【発明の開示】
【発明が解決しようとする課題】
【０００５】
しかしながら、前述のＩＣカードを用いた認証システムにおいては、以下の点について配慮がなされていない。
【０００６】
前述の認証システムでは、認証が拒否された施設利用者に対しては特別な手当てをしていない。すなわち、認証が拒否されたということは、その施設利用者は不審者である可能性があるものの、そのことに対しては何ら対策が講じられていない。つまり犯罪の可能性を認識しながらそれを放置してしまっている。
【０００７】
本発明はこのような課題を解決するためになされたもので、その目的は、認証拒否があった場合に犯罪の発生を抑制することができる認証媒体を提供することである。
【課題を解決するための手段】
【０００８】
本発明の特徴は、認証媒体において、認証情報を記憶し、当該認証情報の外部との送受信を許容する認証情報記憶部と、当該認証情報の送受信の結果、当該認証情報が認証には不完全なものと判断された場合に駆動される報知部と、を備える。
【発明の効果】
【０００９】
本発明によれば、認証情報が認証には不完全なものであると判断されて認証拒否があった場合に、犯罪の発生までも抑制することができる。
【発明を実施するための最良の形態】
【００１０】
以下、本発明の実施の形態を図面を用いて説明する。
【００１１】
（第１の実施の形態）
本発明の第１の実施の形態に係る認証媒体１は、図１に示すように、名刺サイズに形成された樹脂製の基板２をベースとして形成され、この基板２上に、ＩＣタグ(認証情報記憶部)３と、報知部４と、表記部５とを備えている。
【００１２】
基板２は、例えば、１ｍｍ〜数ｍｍ程度の厚さのプラスチックス板を貼り合わせて形成されている。２枚のプラスチックス板の間に、ＩＣタグ３や電気回路等の部品が配置されている。
【００１３】
ＩＣタグ３は、認証情報を記憶するとともに信号の送受信のために駆動されるＩＣチップと、信号の送受信を行うアンテナとを備えている。ＩＣチップ内に記憶されている認証情報は、認証媒体１を所持する施設利用者の個人情報であり、認証媒体１の種類（例えば、外来者用、従業員用等）によってその認証情報の内容は異なる。本実施の形態のＩＣタグ３は、外部から送信される電波（信号）を受け、電磁誘導の原理によって認証情報の送信等に必要な電力を得るパッシブ方式のものを例に挙げて示しているが、電力を供給するための電池を備えるアクティブ方式のＩＣタグを用いてもよい。
【００１４】
報知部４は、液晶の表示部６と、この表示部６のマトリクス部６ａを駆動するドライバ回路７とを有している。表示部６は、例えば、有機ＥＬなどの薄型化が可能なものが使用され、認証媒体１の比較的広い面積、例えば認証媒体１の表面積の上半分を占める程度に配置されている。
【００１５】
表記部５には、認証媒体１を使用する施設利用者を特定するための事項が表記できるようになっている。例えば、○○株式会社への外来者に配布する認証媒体１には、「○○株式会社  外来者専用」と表記されている。また、○○株式会社の××部に所属する従業員が所持する認証媒体１には、「○○株式会社××部  従業員氏名△△△△」と表記されている。
【００１６】
基板２を構成する２枚のプラスチック板の間、すなわち認証媒体１の内部には、表示部６を構成するマトリクス部６ａと、ドライバ回路７と、ＩＣタグ３と、電池８とが配置されている。
【００１７】
ドライバ回路７は、マトリクス部６ａを駆動するための制御回路である。ドライバ回路７とＩＣタグ３との間は図中破線で示す信号線９により接続され、ドライバ回路７とマトリクス部６ａとの間は図中破線で示す信号線１０により接続されている。
【００１８】
電池８は、ドライバ回路７とマトリクス部６ａとに電力を供給する。電池８とドライバ回路７との間は図中太線で示す電力供給線１１により接続され、電池８とマトリクス部６ａとの間は図中太線で示す電力供給線１２により接続されている。
【００１９】
認証媒体１を用いた認証が行われる場所としては、建物や施設等が一般的であり、具体的には建物の出入口、各部屋の出入口、エレベータの乗降口、エレベータの乗りかご内等が挙げられる。図２は、エレベータ乗り場１３にエレベータ乗りかご１４が到着し、エレベータ乗り場１３の乗り場ドア１３ａとエレベータ乗りかご１４のかごドア（図示せず）とが同期して開放された状態が示されている。
【００２０】
エレベータ乗り場１３には、認証媒体１との間で信号を送受信するＩＣタグリーダライタ１５ａ，１５ｂが設置されている。エレベータ乗りかご１４内には、ＩＣタグリーダライタ１５ａ，１５ｂと同じ構造のＩＣタグリーダライタ１５ｃ，１５ｄが設置されている。なお、ＩＣタグリーダライタ１５ａ，１５ｂは、各階床のエレベータ乗り場１３にそれぞれ設置されている。
【００２１】
ＩＣタグリーダライタ１５ａ，１５ｂは、エレベータ乗り場１３に来た施設利用者が携帯する認証媒体１から認証情報を読取り、ＩＣタグリーダライタ１５ｃ，１５ｄはエレベータ乗りかご１２内に居る施設利用者が携帯する認証媒体１から認証情報を読取る。
【００２２】
認証媒体１による認証が行われる際には、まず、ＩＣタグリーダライタ１５ａ〜１５ｄから電波が送信される。この電波を認証媒体１のＩＣタグ３がそのアンテナで受信することによりＩＣタグ３内で電磁誘導が起こり、認証媒体１において電力が得られる。この電力によってＩＣタグ３に記憶されている認証情報がＩＣタグ３から送信される。そして、送信された認証情報がＩＣタグリーダライタ１５ａ〜１５ｄにより受信される。
【００２３】
ＩＣタグリーダライタ１５ａ〜１５ｄにより受信された認証情報は、後述する外部機器である認証制御部１６に与えられ、当該施設を利用できるかどうかの認証が行われる。その認証結果は、ＩＣタグリーダライタ１５ａ〜１５ｄから認証媒体１へ送信される。
【００２４】
また、第１の実施の形態では、エレベータ乗り場１３とエレベータ乗りかご１４とにそれぞれ一対(２台)のＩＣタグリーダライタ１５を設置した場合を例に挙げて説明しているが、これは認証情報の読取り精度を高めるためである。したがって、読取り精度が十分確保されるのであればＩＣタグリーダライタ１５の設置個数はそれぞれ１台ずつであってもよい。またＩＣタグリーダライタ１５の設置位置は当該施設の環境に応じて任意に決定できる。
【００２５】
図３は、認証媒体１と認証制御部(外部機器)１６とを用いた認証システムを示すブロック図である。認証媒体１と認証制御部１６との間の信号の送受信は、ＩＣタグリーダライタ１５を介して行われる。この図３では、ある階床のエレベータ乗り場１３に設置された一対のＩＣタグリーダライタ１５ａ，１５ｂを介して信号の送受信が行われる場合を示している。
【００２６】
認証制御部１６は、認証情報認識部１７と、比較判定部１８と、認証テーブル１９と、報知部駆動信号生成部２０とを備えている。
【００２７】
認証情報認識部１７は、ＩＣタグリーダライタ１５ａ，１５ｂにより読取られた認証媒体１の認証情報を、当該ＩＣタグリーダライタ１５ａ，１５ｂのＩＤ番号と共に一時的に記録する。ＩＣタグリーダライタ１５ａ，１５ｂのＩＤ番号を記録することにより、認証が行われようとしている施設を特定することができる。
【００２８】
認証テーブル１９には、各認証媒体１のＩＤ番号と、各認証媒体１を携帯する施設利用者が出入等を許可される施設を特定した認証用情報とが記録されている。
【００２９】
比較判定部１８は、認証情報認識部１７に記録された認証情報と、ＩＣタグリーダライタ１５ａ，１５ｂのＩＤ番号と、認証テーブル１９に記録された認証用情報とを比較する。そして、認証媒体１を携帯する施設利用者が当該施設を利用できるかどうかが判定される。
【００３０】
報知部駆動信号生成部２０は、比較判定部１８における判定の結果、認証には不完全として認証拒否がなされた場合に、認証媒体１の報知部４を駆動させるための駆動信号を生成する。一方、比較判定部１８における判定の結果、認証がなされた場合には、報知部駆動信号生成部２０から駆動信号は生成されない。
【００３１】
報知部駆動信号生成部２０において駆動信号が生成された場合、この駆動信号はＩＣタグリーダライタ１５ａ，１５ｂから認証媒体１に向けて送信される。
【００３２】
すると、この駆動信号を受信したＩＣタグ３のＩＣチップに記憶された情報が更新され、ＩＣタグ３から信号線９を介してドライバ回路７に制御信号が送信される。この制御信号を受信したドライバ回路７が表示部６の表示状態を制御することによりこの認証媒体１を携帯している人物は認証を拒否された者であることが周囲に報知される。
【００３３】
報知部駆動信号生成部２０において生成した駆動信号に基づいて行われる表示部６の表示制御としては、例えば、通常は非点灯状態である表示部６を赤色に発光させることが挙げられる。このような発光制御によって認証媒体１の外観が変化するため、その認証媒体１を携帯している人物が認証を拒否されたことを周囲に明確に報知することできる。さらに、多くの人物が居る場合であっても、認証を拒否された者が誰であるかを容易に特定することができる。また、表示部６の電源として電池８を備えているため、表示部６の点灯を予め設定した長時間に亘って継続させることが可能となる。
【００３４】
認証システムによる制御内容を図４のフローチャートに基づいて説明する。まず、認証媒体１を携帯した人物がＩＣタグリーダライタ１５ａ，１５ｂによる送受信可能範囲に入ると、ＩＣタグリーダライタ１５ａ，１５ｂにより認証媒体１の認証情報が受信され、受信された認証情報が認証制御部１６に送信される（Ｓ１）。ＩＣタグリーダライタ１５ａ，１５ｂが認証情報を受信した場合、受信された認証情報は受信したＩＣタグリーダライタ１５ａ，１５ｂのＩＤ番号と共に認証情報認識部１７に送信される。
【００３５】
認証制御部１６では、認証媒体１から受信した認証情報を受信したＩＣタグリーダライタ１５ａ，１５ｂのＩＤ番号と共に認証情報認識部１７に入力されたか否かが判断される（Ｓ２）。
【００３６】
認証情報等が入力された場合には（Ｓ２のＹＥＳ）、入力された認証情報と、入力されたＩＣタグリーダライタ１５ａ，１５ｂのＩＤ番号と、認証テーブル１９に記録されている受信した認証媒体１に関する認証用情報とが比較判定部１８において比較され、認証媒体１を携帯する人物が当該施設を利用できるかどうかの認証が行われる（Ｓ３）。認証がなされた場合には（Ｓ３のＹＥＳ）、報知部駆動信号生成部２０における駆動信号の生成は行われず、一連の制御は終了する。
【００３７】
一方、ステップＳ３の判定において、認証が拒否された場合は（Ｓ３のＮＯ）、報知部駆動信号生成部２０において駆動信号が生成され（Ｓ４）、この駆動信号がＩＣタグリーダライタ１５ａ，１５ｂから認証媒体１側へ送信される（Ｓ５）。
【００３８】
ＩＣタグリーダライタ１５ａ，１５ｂから送信された駆動信号は、ＩＣタグ３により受信される（Ｓ６）。ＩＣタグ３により駆動信号が受信されると、駆動信号を受信したことによりドライバ回路７が駆動され、表示部６に認証が拒否された旨の表示が行われる（Ｓ７）。
【００３９】
なお、第１の実施の形態では、報知部４として表示部６が認証媒体１に設けられている場合を例に挙げて説明したが、表示部６に代えて、スピーカを認証媒体１に設けてもよい。この場合には、認証媒体１を携帯する人物が当該施設を利用できるかどうかの認証を拒否された場合には、スピーカから認証を拒否された旨のブザー音や、特定の音声情報、例えば、「お乗りになれません」などが発せられる。このような音声情報を発する構成とすることにより、施設利用者が認証媒体１を外部から見えないように隠している場合でも、認証を拒否された事実を周囲に報知することができる。
【００４０】
（第２の実施の形態）
本発明の第２の実施の形態について説明する。なお、この第２の実施の形態の外観上の特徴は第１の実施の形態と同じであり、図面は図１ないし図４を援用して説明する。
【００４１】
第１の実施の形態では、比較判定部１８における判定により認証上方が認証には不完全なものとして認証拒否された場合に、表示部６を発光させる場合を例に挙げて説明したが、第２の実施の形態では、報知部４が第１の報知形態と第２の報知形態とを有する構成とされている。
【００４２】
認証情報が認証された場合には報知部４が第１の報知形態を選択して駆動され、認証情報の認証が拒否された場合には報知部４が第２の報知形態を選択して駆動される。第１の報知形態と第２の報知形態とでは、表示部６に異なる視覚情報が表示され、例えば、認証された場合の第１報知形態では表示部６を青色に発光し、認証を拒否された場合の第２報知形態では表示部６を赤色に発光する。
【００４３】
認証された場合にも表示部６を発光させることにより、認証されたことを周囲に報知することができる。もちらん、青や赤に限らず、他のあらゆる色彩から適当な色彩を選択することができる。
【００４４】
また、第１の報知形態では発光時間を短くし、第２の報知形態では発光時間を長くするなど、表示部６の発光時間を制御するようにしてもよい。
【００４５】
なお、第２の実施の形態では、報知部４として表示部６が第１の報知形態と第２の報知形態とを有する場合を例に挙げて説明したが、表示部６に代えて、第１の報知形態と第２の報知形態とを有するスピーカを認証媒体１に設けてもよい。この場合には、認証された場合の第１報知形態では、例えば、「お乗り下さい」等の音声情報がスピーカから発せられ、認証を拒否された場合の第２の報知形態では、例えば、「お乗りになれません」等の音声情報がスピーカから発せられる。
【００４６】
認証された場合と認証を拒否された場合とのそれぞれにおいて音声情報が発せられることにより、認証されたか否かを周囲に確実に報知することができる。
【００４７】
なお、本発明は上記の実施の形態に限定されるものではなく、その趣旨を逸脱しない範囲で種々変形して実施できることは言うまでもない。例えば、上記の実施の形態では外来者がエレベータを利用する場合を想定しているが、これ以外の施設、例えば特定の部屋への入室・入館や、特定の通路・区画の利用を判定するものであってもよい。いずれの場合にも、適当な場所にＩＣタグリーダライタ１５を設置することにより実現可能である。
【００４８】
また、認証媒体１は上記のようにカード状かつ名刺サイズである必要はなく、その機能を実現する限りにおいてはいかなるサイズ、形状、重さであってもよい。
【図面の簡単な説明】
【００４９】
【図１】本発明の第１の実施の形態に係る認証媒体であって、（ａ）は外観を示す正面図、（ｂ）は内部構造を示す正面図である。
【図２】ＩＣタグリーダライタが設置されているエレベータ乗り場とエレベータ乗りかごとを示す正面図である。
【図３】認証システムを示すブロック図である。
【図４】認証システムによる制御内容を説明するフローチャートである。
【符号の説明】
【００５０】
１      認証媒体
３      ＩＣタグ(認証情報記憶部)
４      報知部
６      表示部
【図１】
2007199941.tif 000003
【図２】
2007199941.tif 000004
【図３】
2007199941.tif 000005
【図４】
2007199941.tif 000006